(57)【要約】【課題】様々な測定器に接続して使用され、ユニット本体を任意の位置に容易に保持することができ、ユニット本体あるいは接続ケーブルが邪魔になって測定に支障を生じることがない測定器用通信ユニットを提供する。【解決手段】略直方体形状のユニット本体１０と、このユニット本体１０と測定器との間に接続される、接続ケーブル１１と、この接続ケーブル１１の外周を覆うように設けられ屈曲可能かつその屈曲状態に保持可能に構成されているアーム１２と、このアーム１２を所定の姿勢に保持するアーム固定具１３とから構成される測定器用通信ユニット１。【選択図】図１
2007305055.tif 000002
【特許請求の範囲】
【請求項１】
測定によって得られた測定信号をもとに測定データを求める信号処理部と、この信号処理部で求められた測定データを出力する出力コネクタとが設けられた測定器に取り付けられる測定器用通信ユニットにおいて、
前記測定データを無線で送信する送信回路を内蔵したユニット本体と、このユニット本体と前記測定器の前記出力コネクタとの間に接続され両者間において信号を伝送する接続ケーブルと、この接続ケーブルの外周を覆うように設けられたアームとを備え、
前記アームは、屈曲可能かつその屈曲状態に保持可能に構成されていることを特徴とする測定器用通信ユニット。
【請求項２】
請求項１に記載の測定器用通信ユニットにおいて、
前記アームは、金属製のコンジットからなることを特徴とする測定器用通信ユニット。
【請求項３】
請求項１または２に記載の測定器用通信ユニットにおいて、
前記アームを所定の姿勢に保持するアーム固定具が設けられ、
このアーム固定具は、前記アームの一部と係合する第一係合部材と、前記アームの他の一部と係合する第二係合部材と、前記両係合部材を互いに回転自在に連結する連結部とを有することを特徴とする測定器用通信ユニット。
【請求項４】
請求項３に記載の測定器用通信ユニットにおいて、
前記連結部は、前記第一および第二係合部材のそれぞれに設けられた連結孔と、この二つの連結孔に挿通されるボルトと、このボルトに前記第一および第二係合部材を挟んで螺合されるナットとを有することを特徴とする測定器用通信ユニット。
【請求項５】
請求項１ないし４のいずれかに記載の測定器用通信ユニットにおいて、
前記ユニット本体は、無線で情報を受信する受信回路を備え、
この受信回路は、測定に関する情報を受信し、この受信情報を前記接続ケーブルを介して前記測定器に伝送することを特徴とする測定器用通信ユニット。
【発明の詳細な説明】
【技術分野】
【０００１】
本発明は、測定器に接続され、この測定器で測定した測定データを無線で送信する測定器用通信ユニットに関する。
【背景技術】
【０００２】
各測定器から測定データをデータ処理装置などへ送信し、データ処理装置において、各測定器から送信された測定データを収集、処理して品質管理データや統計データを求める測定データ収集処理システムが知られている。中でも、各測定器からの測定データを、無線でデータ処理装置などへ送信するようにしたシステムでは、各測定器ごとに測定器用通信ユニットを備える必要がある。
【０００３】
従来の測定器用通信ユニットは、測定データを無線で送信する送信回路を内蔵したユニット本体と、このユニット本体と測定器とを接続して信号を伝送する接続ケーブルとから構成されている。このような構成の測定器用通信ユニットにおいては、ユニット本体および接続ケーブルの配置により、測定に支障が生じるおそれがある。
たとえば、測定器用通信ユニットを電子式ノギスと組み合わせて使用する場合、測定器用通信ユニットの接続ケーブルを電子式ノギスのスライダに接続して使用する。しかし、このような構成においては、スライダを移動させる時に、ユニット本体あるいは接続ケーブルが邪魔になって、測定に支障が生じることがある。
【０００４】
このような問題を回避するために、ユニット本体をスライダに固定する方法があるが、固定作業が面倒であるとともに、ユニット本体およびスライダに固定手段を設ける必要があるので、部品点数が増え、コストアップにつながる。
そこで、接続ケーブルを省略し、ユニット本体をスライダの背面に係合させる測定器用通信ユニットが提案されている(特許文献１）。
【０００５】
【特許文献１】特開２０００−７６５７７号公報
【発明の開示】
【発明が解決しようとする課題】
【０００６】
しかし、特許文献１においては、ユニット本体の形状を、接続する測定器に合わせて設計する必要があり、様々な測定器に汎用的に接続することができない。また、ユニット本体がスライダの背面に固定されているので、ユニット本体が被測定物と干渉する場合には、ユニット本体を取り外さないと測定ができない。
【０００７】
本発明の目的は、様々な測定器に接続して使用でき、ユニット本体を任意の位置に容易に保持することができ、ユニット本体あるいは接続ケーブルが邪魔になって測定に支障を生じることがない測定器用通信ユニットを提供することである。
【課題を解決するための手段】
【０００８】
本発明の測定器用通信ユニットは、測定によって得られた測定信号をもとに測定データを求める信号処理部と、この信号処理部で求められた測定データを出力する出力コネクタとが設けられた測定器に取り付けられる測定器用通信ユニットにおいて、前記測定データを無線で送信する送信回路を内蔵したユニット本体と、このユニット本体と前記測定器の出力コネクタとの間に接続され両者間において信号を伝送する接続ケーブルと、この接続ケーブルの外周を覆うように設けられたアームとを備え、前記アームは、屈曲可能かつその屈曲状態に保持可能に構成されていることを特徴とする。
【０００９】
本発明によれば、アームの形状を自由に屈曲させることにより、ユニット本体およびアームを、任意の位置に容易に保持することができる。測定部位や周囲環境に合わせ、ユニット本体およびアームの位置を任意に変えることにより、ユニット本体あるいは接続ケーブルが邪魔になって測定に支障を生じることがない。また、ユニット本体は特定の測定器に合わせた形状である必要がなく、様々な測定器に接続して使用することができる。
【００１０】
本発明において、前記アームは、金属製のコンジットからなることが好ましい。
このような構成によれば、アームが金属製のコンジットからなるので、内部の接続ケーブルを保護することができるとともに、アームを屈曲状態に保持しやすいので、測定時にユニット本体の姿勢が変化しにくい。
【００１１】
本発明において、前記アームを所定の姿勢に保持するアーム固定具が設けられ、このアーム固定具は、前記アームの一部と係合する第一係合部材と、前記アームの他の一部と係合する第二係合部材と、前記両係合部材を互いに回転自在に連結する連結部とを有することが好ましい。
このような構成によれば、アーム固定具がアームの二箇所と係合する二つの係合部材を備えているので、より確実にアームを所定の姿勢に保持することができる。このとき、両係合部材が回転自在に連結されているので、取り付け方向を任意に設定することができる。
【００１２】
本発明において、前記アーム固定具の前記連結部は、前記第一および第二係合部材のそれぞれに設けられた連結孔と、この二つの連結孔に挿通されるボルトと、このボルトに前記第一および第二係合部材を挟んで螺合されるナットとを有することが好ましい。
このような構成によれば、第一および第二係合部材がボルトとナットで連結されているので、これらの締め具合により、両係合部材の回転を調整することができる。さらに、ボルトとナットを締結すれば、両係合部材の回転が規制されるので、より確実にアームを所定の姿勢に保持することができる。
【００１３】
本発明において、前記ユニット本体は、無線で情報を受信する受信回路を備え、この受信回路は、測定に関する情報を受信し、この受信情報を前記接続ケーブルを介して前記測定器に伝送することが好ましい。
このような構成によれば、測定に関する情報、たとえば、測定項目などを受信し、その受信情報を測定器へ伝送することができるので、測定器において測定項目などを表示部に表示することができる。そのため、測定者は、表示部を確認することにより、必要な測定を忘れたり、測定の手順を誤ったりするおそれがない。
【発明を実施するための最良の形態】
【００１４】
以下、本発明の実施形態を図面に基づいて説明する。
＜図１、２の説明＞
図１は、本実施形態の測定器用通信ユニット１をデジタル式ノギス２に取り付けた状態の一部を切欠いた正面図である。図２は、本実施形態の測定器用通信ユニット１の拡大正面図である。
【００１５】
デジタル式ノギス２は、本尺２１と、この本尺２１の長手方向に沿って移動可能に設けられたスライダ２２とを備える。
本尺２１には、基端側の上下縁に内側用測定ジョー２１１および外側用測定ジョー２１２が、それぞれ一体的に形成されている。本尺２１とスライダ２２との間には、スライダ２２の移動変位量を検出するアブソリュート位置検出器が設けられている。
【００１６】
スライダ２２には、本尺２１の内側用測定ジョー２１１および外側用測定ジョー２１２とともに、被測定物の測定部位間に当接される内側用測定ジョー２２１および外側用測定ジョー２２２が、それぞれ一体的に形成されている。また、スライダ２２には、内部にアブソリュート位置検出器からの測定信号をもとに測定データ（スライダ２２の移動変位量）を求める信号処理部２２５が、正面に信号処理部２２５で求められた測定データをデジタル表示するデジタル表示部２２３が、上面に信号処理部２２５で求められた測定データを出力する出力コネクタ２２４がそれぞれ設けられている。
【００１７】
測定器用通信ユニット１は、略直方体形状のユニット本体１０と、このユニット本体１０の入力コネクタ１０２とデジタル式ノギス２の出力コネクタ２２４との間に接続される接続ケーブル１１と、この接続ケーブル１１の外周を覆うように設けられたアーム１２と、このアーム１２の二箇所と係合されアーム１２を所定の姿勢に保持するアーム固定具１３とから構成される。
【００１８】
ユニット本体１０は、測定データを無線で送信する送信回路１０３を内蔵し、正面隅に操作ボタン１０１を、正面に垂直な一側面に入力コネクタ１０２を備えている。
【００１９】
接続ケーブル１１は両末端にコネクタ１２１を備え、このコネクタ１２１の一方がスライダ２２の出力コネクタ２２４に、他方がユニット本体１０の入力コネクタ１０２に接続されている。この接続ケーブル１１によって、ユニット本体１０とデジタル式ノギス２との間で信号が伝送される。
【００２０】
アーム１２は、接続ケーブル１１の外周を覆うように設けられ、可塑性を備える金属製のコンジット１２２からなる。コンジット１２２は、周方向に沿った凹凸を有する円筒部材が多数結合してなる蛇腹状の金属管で、屈曲可能かつその屈曲状態に保持可能に構成されている。なお、図１においては、コンジット１２２の表面の凹凸を省略している。
【００２１】
＜図３、４の説明＞
本実施形態の測定器用通信ユニット１の、アーム固定具１３の構成を図３および図４に示す。アーム固定具１３は、アーム１２の一部と係合する第一係合部材１３１と、アーム１２の他の一部と係合する第二係合部材１３２と、両係合部材１３１、１３２を互いに回転自在に連結する連結部１３３とからなる。
【００２２】
第一係合部材１３１および第二係合部材１３２は、開口部１３４を有する断面コの字状の樹脂部材である。開口部１３４の両側縁の間隔は、コンジット１２２の外径よりも小さく、開口部１３４の両側縁は、先端球形に形成されている。両係合部材１３１、１３２の側面の開口部１３４に近い部分は外側に膨らんで湾曲部１３５を形成している。両湾曲部１３５の間隔はコンジット１２２の外径に等しい。
コンジット１２２を開口部１３４の両側縁に当接させ押圧すると、開口部１３４が弾性変形して押し広げられ、コンジット１２２が弾性的に保持される。
【００２３】
連結部１３３は、第一係合部材１３１および第二係合部材１３２の開口部１３４と逆側の側面に設けられ、両係合部材１３１、１３２に設けられた連結孔１３７と、この二つの連結孔１３７に挿通されるボルト１３８と、このボルト１３８と螺合されるナット１３９とで構成されている。
【００２４】
連結孔１３７は、第一係合部材１３１および第二係合部材１３２の開口部１３４と逆側の側面の中心に設けられている。両係合部材１３１、１３２は、二つの連結孔１３７を当接させるように配置され、ボルト１３８が、二つの連結孔１３７に挿通されている。ボルト１３８に、両係合部材１３１、１３２を挟んで、ナット１３９が螺合されており、両係合部材１３１、１３２が、互いに回転自在に連結されている。
【００２５】
＜使用方法＞
二つのコネクタ１２１の一方をユニット本体１０の入力コネクタ１０２に、他方をスライダ２２の出力コネクタ２２４に接続する。アーム１２のコンジット１２２を曲げて屈曲させ、測定時に、被測定物あるいはデジタル式ノギス２と干渉しないように位置決めする。このとき、アーム１２の一部とアーム１２の他の一部が互いに当接するようにする。アーム１２の当接する二点の間に少し隙間をあけ、ここにアーム固定具１３の第一係合部材１３１および第二係合部材１３２を係合させる。
たとえば、図１に示すように、ユニット本体１０を本尺２１の方向に突きだした形に保持することができる。また、図５に示すように、ユニット本体１０をスライダ２２の上方に保持することもできる。
【００２６】
測定にあたっては、本尺２１に沿ってスライダ２２を移動させ、内側用測定ジョー２１１，２２１または外側用測定ジョー２１２，２２２を被測定物の測定部位間に当接させる。すると、信号処理部２２５にて、アブソリュート位置検出器で検出された測定信号を基にして測定データが求められ、この測定データが、デジタル表示部２２３にデジタル表示される。
ここで、ユニット本体１０の操作ボタン１０１を操作すると、その操作信号が、接続ケーブル１１を介してデジタル式ノギス２の信号処理部２２５に与えられる。これを受けて、信号処理部２２５が、測定データをユニット本体１０の送信回路１０３へ送信する。さらに、ユニット本体１０は、受け取った測定データを、無線受信機能を備えるデータ処理装置へと送信する。
【００２７】
＜実施形態の効果＞
（Ａ）アーム１２が、可塑性を備える金属製のコンジット１２２からなるので、その形状を自由に屈曲させることにより、ユニット本体１０およびアーム１２を、任意の位置に容易に保持することができる。測定部位や周囲環境に合わせ、ユニット本体１０およびアーム１２の位置を任意に変えることにより、ユニット本体１０あるいは接続ケーブル１１が邪魔になることがなくなるので、測定に支障を生じることがない。
【００２８】
（Ｂ）ユニット本体１０は、特定の測定器に合わせた形状ではないので、コネクタ１２１に対応する出力コネクタ２２４を備える様々な測定器に接続して使用することができる。
【００２９】
（Ｃ）アーム１２が、接続ケーブル１１の外周を覆うように設けられた金属製のコンジット１２２からなるので、内部の接続ケーブル１１を保護することができる。よって、誤って接続ケーブル１１を切断することや、接続ケーブル１１が繰り返し折り曲げられ、接続ケーブル１１内部の銅線が断線することなどを防止することができる。
【００３０】
（Ｄ）アーム固定具１３が、アーム１２の二箇所と係合されるので、より確実にアーム１２を所定の姿勢に保持することができる。
【００３１】
（Ｅ）第一係合部材１３１および第二係合部材１３２が、ボルト１３８とナット１３９で連結されているので、ボルト１３８とナット１３９の締め具合により、両係合部材１３１、１３２の回転を調整することができる。ボルト１３８とナット１３９をきつく締めれば、両係合部材１３１、１３２の回転が規制されるので、より確実にアーム１２を所定の姿勢に保持することができる。
【００３２】
＜変形例＞
なお、本発明は、本実施形態に限定されるものではなく、本発明の目的を達成できる範囲での変形、改良等は、本発明に含まれるものである。
（i）本実施形態では、測定器用通信ユニット１をデジタル式ノギス２に接続したが、接続する測定器はこれに限定されない。接続する測定器は、コネクタ１２１に対応する出力コネクタ２２４を備える測定器であればよい。たとえば、図６に示すように、デジタル式マイクロメータ３に接続することもできる。また、図７に示すように、デジタル式ダイヤルゲージ４に接続することもできる。
【００３３】
（ii）入力コネクタ１０２および出力コネクタ２２４は、本実施形態で述べた配置に限定されない。たとえば、入力コネクタ１０２は、ユニット本体１０正面の操作ボタン１０１の横に設けられてもよく、出力コネクタ２２４は、スライダ２２下面に設けられてもよい。また、入力コネクタ１０２は設けず、接続ケーブル１１がユニット本体１０内に引き込まれている構成としてもよい。
【００３４】
（iii）操作ボタン１０１は、本実施形態で述べた配置に限定されない。たとえば、操作ボタン１０１は、スライダ２２に接続されるコネクタ１２１に設けられてもよい。この場合、右手でスライダ２２を移動させ、そのまま右手の指で操作ボタン１０１を押すことができ、操作が容易である。
【００３５】
（iv）アーム１２は、接続ケーブル１１の外周を覆うように設けられ、屈曲可能かつその屈曲状態に保持可能に構成されているものであればよく、本実施形態の構成に限定されない。たとえば、アーム１２は、可塑性を備える樹脂材料で構成されていてもよいし、可塑性を備えない軟質樹脂部材中に、針金を埋設して可塑性を持たせたフィルム状あるいはシート状の部材で構成されていてもよい。また、アーム１２は、接続ケーブル１１の外周の全体を覆う必要はなく、一部のみを覆う構成としてもよい。
【００３６】
（v）本実施形態では、アーム固定具１３を備える測定器用通信ユニット１について説明したが、アーム固定具１３はなくてもよい。このような場合でも、アーム１２が、屈曲可能かつその屈曲状態に保持可能に構成されているので、ユニット本体１０およびアーム１２を、任意の位置に容易に保持することができる。また、アーム固定具１３がないので、アーム１２の配置の自由度が高くなる。
【００３７】
（vi）第一係合部材１３１および第二係合部材１３２は、本実施形態で述べた形状に限定されない。たとえば、図８に示すように、湾曲部１３５の代わりに断面くの字の凸部１３０が設けられていてもよい。この場合、アーム１２の断面が四角形であっても、確実にこれを保持することができる。
【００３８】
（vii）アーム固定具１３の連結部１３３は、第一係合部材１３１および第二係合部材１３２を互いに回転自在に連結するものであればよく、本実施形態で述べた構成に限定されない。たとえば、第一係合部材１３１に設けたボス部を、第二係合部材１３２に設けた受け部に遊嵌させる構成としてもよい。この場合、ボルト１３８とナット１３９が必要なく、部品点数が少ないという利点がある。
【００３９】
（viii）本実施形態では、アーム固定具１３を、アーム１２の両末端部に係合させたが、アーム固定具１３の配置はこれに限定されない。たとえば、アーム固定具１３は、アーム１２の両末端部以外の箇所と係合されてもよい。この場合でも、アーム固定具１３はアーム１２を所定の姿勢に保持することができる。
【００４０】
（ix）測定器用通信ユニット１は、無線で情報を受信する受信回路を備えていてもよい。この受信回路は、測定に関する情報を受信し、この受信情報を前記接続ケーブルを介して前記測定器に伝送することが好ましい。このような構成によれば、測定に関する情報、たとえば、測定項目などを受信し、その受信情報を測定器へ伝送することができるので、測定器において測定項目などを表示部に表示することができる。そのため、測定者は、表示部を確認することにより、必要な測定を忘れたり、測定の手順を誤ったりするおそれがない。
【産業上の利用可能性】
【００４１】
本発明は、測定器に接続され、この測定器で測定した測定データを無線で送信する測定器用通信ユニットとして利用できる。
【図面の簡単な説明】
【００４２】
【図１】本実施形態の測定器用通信ユニットをデジタル式ノギスに取り付けた状態の一部を切欠いた正面図。
【図２】本実施形態の測定器用通信ユニットの拡大正面図。
【図３】本実施形態の測定器用通信ユニットのアーム固定具の斜視図。
【図４】本実施形態の測定器用通信ユニットのアーム固定具の一部を切欠いた正面図。
【図５】本発明の測定器用通信ユニットを異なる姿勢で取り付けた状態の正面図。
【図６】本発明の測定器用通信ユニットをデジタル式マイクロメータに取り付けた状態の正面図。
【図７】本発明の測定器用通信ユニットをデジタル式ダイヤルゲージに取り付けた状態の正面図。
【図８】本発明の測定器用通信ユニットのアーム固定具の変形例を示す正面図。
【符号の説明】
【００４３】
１      測定器用通信ユニット
１０      ユニット本体
１１      接続ケーブル
１２      アーム
１３      アーム固定具
１０３      送信回路
１３１      第一係合部材
１３２      第二係合部材
１３３      連結部
１３７      連結孔
１３８      ボルト
１３９      ナット
【図１】
2007305055.tif 000003
【図２】
2007305055.tif 000004
【図３】
2007305055.tif 000005
【図４】
2007305055.tif 000006
【図５】
2007305055.tif 000007
【図６】
2007305055.tif 000008
【図７】
2007305055.tif 000009
【図８】
2007305055.tif 000010